(57)【要約】【課題】収容された用紙が変形することによる給紙時の負荷を抑制するとともに、収容された用紙を容易に取り出すことができる給紙装置を提供する。【解決手段】装着状態ＰＡ１と引出状態ＰＡ２とを切り換え可能である給紙カセット１０を備えた給紙装置１００であって、給紙カセット１０は、用紙Ｐの端部を上昇させるように押動する押動状態ＰＢ１と、用紙Ｐの端部を上昇させないように退避する退避状態ＰＢ２とを切り換え可能である押動部３０と、を備え、給紙カセット１０が装着状態ＰＡ１から引出状態ＰＡ２に移行されることにより、押動部３０は、退避状態ＰＢ２から押動状態ＰＢ１に切り替えられ、給紙カセット１０が引出状態ＰＡ２から装着状態ＰＡ１に移行されることにより、押動状態ＰＢ１から退避状態ＰＢ２に切り替えられる。【選択図】図４
2020011844.tif 000002
【特許請求の範囲】
【請求項１】
画像形成装置本体に設けられる給紙カセット装着部に対して装着される装着状態と、前記給紙カセット装着部から引き出された引出状態と、を切り換え可能である給紙カセットを備えた給紙装置であって、
前記装着状態において前記給紙カセットに収容された用紙が給紙される方向を給紙方向として、
前記給紙カセットは、
用紙を収容する収容部と、
前記収容部に収容された用紙の端部を上昇させるように押動する押動状態と、前記収容部に収容された用紙の端部を上昇させないように退避する退避状態とを切り換え可能である押動部と、
を備え、
前記給紙カセットが前記装着状態から前記引出状態に移行されることにより、前記押動部は、前記退避状態から前記押動状態に切り替えられ、
前記給紙カセットが前記引出状態から前記装着状態に移行されることにより、前記押動部は、前記押動状態から前記退避状態に切り替えられることを特徴とする、
給紙装置。
【請求項２】
前記給紙カセットを前記装着状態から前記引出状態に移動させる方向を引出方向とし、前記収容部に収容された用紙の端部のうち、前記給紙方向に対して後方側の端部を第１端部とし、前記引出方向に対して前方側の端部を第２端部として、
前記押動部は、
前記押動状態において、前記第１端部、および／または前記第２端部を上昇させる、
請求項１に記載の給紙装置。
【請求項３】
前記押動部は、
前記給紙カセットに対して回転可能に設けられる回動部を有し、
前記回動部は、
用紙に接触する作用部と、
前記給紙カセット装着部に接触する係合部と、
前記給紙カセットに対して接続される回転支持部と、
前記作用部を用紙に接触させるように付勢する付勢部と、
を有する、
請求項１または請求項２に記載の給紙装置。
【請求項４】
前記給紙カセットが前記引出状態から前記装着状態に移行されることにより、前記係合部が前記給紙カセット装着部に接触して前記回動部が回転するとともに、前記作用部が用紙から退避した状態となって、前記押動部は、前記押動状態から前記退避状態に切り替えられる、
請求項３に記載の給紙装置。
【請求項５】
前記給紙カセットが前記装着状態から前記引出状態に移行されることにより、前記係合部が前記給紙カセット装着部から離隔して前記付勢部の付勢力によって前記回動部が回転するとともに、前記作用部が用紙に接触した状態となって、前記押動部は、前記退避状態から前記押動状態に切り替えられる、
請求項３または請求項４に記載の給紙装置。
【請求項６】
前記押動部は、
前記給紙カセット装着部に設けられるとともに、前記係合部が接触する当接部を、さらに有する、
請求項１から請求項５のいずれか１項に記載の給紙装置。
【請求項７】
前記収容部は、
前記退避状態の前記押動部が収容される開口部を有する、
請求項１から請求項６のいずれか１項に記載の給紙装置。
【請求項８】
前記開口部は、用紙が収容される収容領域の外側まで形成されている、
請求項７に記載の給紙装置。
【請求項９】
請求項１から８のいずれか１項に記載された給紙装置を備えることを特徴とする画像形成装置。
【発明の詳細な説明】
【技術分野】
【０００１】
本発明は、給紙カセットを備えた給紙装置、および給紙装置を備えた画像形成装置に関する。
【背景技術】
【０００２】
画像形成装置に設けられる給紙装置として、給紙カセットを備えた給紙装置が知られている。給紙カセットは、画像形成装置本体の給紙カセット装着部に対して装着される装着状態と、給紙カセット装着部から引き出された引出状態とを切り換えることが可能である。装着状態は給紙カセットから画像形成装置本体への給紙が可能な状態であり、引出状態では用紙の補充や交換が可能である。
【０００３】
従来の給紙カセットでは、収容された用紙を交換する際など用紙を取り出す場合に、用紙を取り出し易くするために、給紙カセットの底面に凹部を設け、用紙の下方に手指を入れるための空間を形成している。しかしながら、給紙カセットに長時間保管された用紙が底面の凹部によって変形してしまい、給紙時に負荷となって不具合が生じる場合がある。
【０００４】
特許文献１には、給紙カセットの蓋を回転させることで用紙持ち上げ部材を連動させ、給紙カセットに収容された用紙の下方に手指を入れるための空間を形成する機構が開示されている。
【先行技術文献】
【特許文献】
【０００５】
【特許文献１】特開２０００−３２７１４４号公報
【発明の概要】
【発明が解決しようとする課題】
【０００６】
しかしながら、特許文献１に開示された技術では、給紙カセットに用紙を収容させる際に、蓋と用紙持ち上げ部材との間に用紙を挿入する必要がある。このため、給紙カセットに用紙を収容させにくいという問題がある。また、収容された用紙を交換する際に、収容された用紙を取り出しにくいという問題もある。
【０００７】
本発明の目的は、収容された用紙が変形することによる給紙時の負荷を抑制するとともに、収容された用紙を容易に取り出すことができる給紙装置および画像形成装置を提供することにある。
【課題を解決するための手段】
【０００８】
本発明の給紙装置は、
画像形成装置本体に設けられる給紙カセット装着部に対して装着される装着状態と、前記給紙カセット装着部から引き出された引出状態と、を切り換え可能である給紙カセットを備えた給紙装置であって、
前記装着状態において前記給紙カセットに収容された用紙が給紙される方向を給紙方向として、
前記給紙カセットは、
用紙を収容する収容部と、
前記収容部に収容された用紙の端部を上昇させるように押動する押動状態と、前記収容部に収容された用紙の端部を上昇させないように退避する退避状態とを切り換え可能である押動部と、
を備え、
前記給紙カセットが前記装着状態から前記引出状態に移行されることにより、前記押動部は、前記退避状態から前記押動状態に切り替えられ、
前記給紙カセットが前記引出状態から前記装着状態に移行されることにより、前記押動部は、前記押動状態から前記退避状態に切り替えられることを特徴とする（第１の構成）。
【０００９】
上記構成によれば、給紙カセットが装着状態から引出状態に移行されることにより、押動部は、退避状態から押動状態に切り替えられ、用紙の端部を上昇させた状態とすることができるため、収容された用紙を取り出す際に用紙の下方に手指を容易に入れることができる。また、給紙カセットが引出状態から装着状態に移行されることにより、押動部は、押動状態から退避状態に切り替えられ、用紙の端部を上昇させない状態になるため、用紙の変形を抑制することができる。このため、収容された用紙が変形することによる給紙時の負荷を抑制するとともに、収容された用紙を容易に取り出すことができる。
【００１０】
上記第１の構成において、
前記給紙カセットを前記装着状態から前記引出状態に移動させる方向を引出方向とし、前記収容部に収容された用紙の端部のうち、前記給紙方向に対して後方側の端部を第１端部とし、前記引出方向に対して前方側の端部を第２端部として、
前記押動部は、
前記押動状態において、前記第１端部、および／または前記第２端部を上昇させるようにしてもよい（第２の構成）。
【００１１】
上記構成によれば、押動部は、押動状態において、用紙の第１端部、および／または第２端部を上昇させる。このため、給紙カセットに収容された用紙を取り出す際に、用紙の下方に手指を入れやすい部分を上昇させることができる。
【００１２】
上記第１または第２の構成において、
前記押動部は、
前記給紙カセットに対して回転可能に設けられる回動部を有し、
前記回動部は、
用紙に接触する作用部と、
前記給紙カセット装着部に接触する係合部と、
前記給紙カセットに対して接続される回転支持部と、
前記作用部を用紙に接触させるように付勢する付勢部と、
を有してもよい（第３の構成）。
【００１３】
上記構成によれば、回動部が回転することにより、作用部が用紙に接触して、用紙の端部を上昇させた状態とすることができる。このため、収容された用紙を容易に取り出すことができる。
【００１４】
上記第３の構成において、
前記給紙カセットが前記引出状態から前記装着状態に移行されることにより、前記係合部が前記給紙カセット装着部に接触して前記回動部が回転するとともに、前記作用部が用紙から退避した状態となって、前記押動部は、前記押動状態から前記退避状態に切り替えられるようにしてもよい（第４の構成）。
【００１５】
上記構成によれば、給紙カセットを引出状態から装着状態に移行させることにより、押動部を押動状態から退避状態に切り替えることができる。このため、押動部は、用紙の端部を上昇させない状態になり、用紙の変形を抑制することができる。
【００１６】
上記第３または第４の構成において、
前記給紙カセットが前記装着状態から前記引出状態に移行されることにより、前記係合部が前記給紙カセット装着部から離隔して前記付勢部の付勢力によって前記回動部が回転するとともに、前記作用部が用紙に接触した状態となって、前記押動部は、前記退避状態から前記押動状態に切り替えられるようにしてもよい（第５の構成）。
【００１７】
上記構成によれば、給紙カセットを装着状態から引出状態に移行させることにより、押動部を退避状態から押動状態に切り替えることができる。このため、用紙の端部を上昇させた状態となり、収容された用紙を容易に取り出すことができる。
【００１８】
上記第１から第５の構成において、
前記押動部は、
前記給紙カセット装着部に設けられるとともに、前記係合部が接触する当接部を、さらに有してもよい（第６の構成）。
【００１９】
上記構成によれば、係合部が当接部に接触することにより、回動部が作動する。このため、押動部の押動状態と退避状態の切り替えを確実に行うことができる。
【００２０】
上記第１から第６の構成において、
前記収容部は、
前記退避状態の前記押動部が収容される開口部を有してもよい（第７の構成）。
【００２１】
上記構成によれば、退避状態の押動部は開口部に収容されるため、押動部と用紙との接触を抑制することにより、用紙の変形を抑制することができる。
【００２２】
上記第７の構成において、
前記開口部は、用紙が収容される収容領域の外側まで形成されていてもよい（第８の構成）。
【００２３】
上記構成によれば、開口部は、用紙が収容される収容領域の外側まで形成されているため、用紙を取り出す際に手指を用紙の下方に入れることができる。このため、容易に用紙を取り出すことができる。
【００２４】
本発明の画像形成装置は、上記第１から第８のいずれかの構成の給紙装置を備える（第９の構成）。
【００２５】
上記構成によれば、押動状態の押動部により用紙の端部を上昇させるため、収容された用紙を取り出す際に用紙の下方に手指を容易に入れることができる。また、給紙カセットが引出状態から装着状態に移行されることにより、押動部は、押動状態から退避状態に切り替えられ、用紙の端部を上昇させない状態になるため、用紙の変形を抑制することができる。このため、収容された用紙が変形することによる給紙時の負荷を抑制するとともに、収容された用紙を容易に取り出すことができる。
【発明の効果】
【００２６】
本発明の給紙装置および画像形成装置によれば、収容された用紙が変形することによる給紙時の負荷を抑制するとともに、収容された用紙を容易に取り出すことができる。
【図面の簡単な説明】
【００２７】
【図１】実施形態１に係る給紙装置を適用した画像形成装置の全体構成を示す斜視図である。
【図２】図１のＡ―Ａ線における給紙カセット装着部および給紙カセットの平面断面図である。
【図３】図１のＡ―Ａ線における給紙カセット装着部および給紙カセットの平面断面図である。
【図４】（Ａ）図２のＢ―Ｂ線における断面図（Ｂ）図３のＤ―Ｄ線における断面図である。
【図５】（Ａ）図２のＣ―Ｃ線における断面図（Ｂ）図３のＥ―Ｅ線における断面図である。
【図６】実施形態２に係る給紙装置の給紙カセット装着部および給紙カセットの平面断面図である。
【図７】実施形態３に係る給紙装置の給紙カセット装着部および給紙カセットの平面断面図である。
【発明を実施するための形態】
【００２８】
〔実施形態１〕
以下、本発明の実施の形態を図面に基づいて説明する。図１は、実施形態１に係る給紙装置１００を適用した画像形成装置２００の全体構成を示す斜視図である。画像形成装置２００は、画像形成装置本体２０１、原稿台２０２、スキャナ部２０３、排紙トレイ２０５、給紙カセット装着部２０６、および給紙装置１００を備えている。
【００２９】
画像形成装置本体２０１は、画像形成装置２００の本体部分である。原稿台２０２は、画像形成装置本体２０１の上面に設置されたガラス体である。スキャナ部２０３は、原稿台２０２の下方に設けられており、原稿台２０２上に置かれた原稿の画像を読み取る。画像形成装置本体２０１の内部には、画像形成部２０４が設けられている。スキャナ部２０３で読み取られた画像データは画像形成部に入力され、画像データに基づく画像が電子写真画像形成法によって用紙の表面に形成される。排紙トレイ２０５には、画像形成装置本体２０１の上部中央（スキャナ部２０３の下方位置）に設置されており、画像が形成された用紙が排出される。
【００３０】
本実施形態の給紙装置１００は排紙トレイ２０５の下方に設けられている。給紙装置１００には上下２段の給紙カセット装着部２０６が設けられている。各給紙カセット装着部２０６に、本発明の給紙装置１００を構成する給紙カセット１０が装着されている。
【００３１】
給紙カセット１０は、装着状態ＰＡ１（図２参照）と引出状態ＰＡ２（図３参照）とを切り換え可能である。装着状態ＰＡ１（図２参照）は、給紙カセット１０が給紙カセット装着部２０６に対して装着された状態である。引出状態ＰＡ２は、給紙カセット１０が給紙カセット装着部２０６から引き出された状態である。図１に示した給紙カセット１０は、引出状態ＰＡ２であり、給紙カセット装着部２０６に対して図示手前側から奥側に向けて押し込むことによって装着状態ＰＡ１に切り換えることができる。給紙カセット１０を装着状態ＰＡ１から引出状態ＰＡ２に移動させる方向を引出方向Ｄ１とし、給紙カセット１０を引出状態ＰＡ２から装着状態ＰＡ１に移動させる方向を装着方向Ｄ２とする。
【００３２】
次に、給紙装置１００について詳細に説明する。図２および図３は、図１のＡ―Ａ線における給紙カセット装着部２０６および給紙カセット１０の平面断面図である。図２は、給紙カセット装着部２０６に給紙カセット１０が装着された装着状態ＰＡ１を示しており、図３は、給紙カセット装着部２０６から給紙カセット１０が引き出された引出状態ＰＡ２を示している。図２および図３に示すように、給紙カセット１０は、給紙カセット本体１１、収容部２０、可動載置板２１、および押動部３０を備えている。
【００３３】
給紙カセット本体１１は、給紙カセット１０の基体をなす部分である。
【００３４】
収容部２０は、給紙カセット本体１１の内側に形成されている。収容部２０には、用紙Ｐが収容される。装着状態ＰＡ１において、収容部２０に収容された用紙Ｐは画像形成装置本体２０１に設けられたピックアップローラ２１１によって引き出され、給紙ローラ２１２によってシート搬送路（図示せず）に搬送される。シート搬送路に搬送された用紙Ｐの表面には、画像形成部において画像が形成される。装着状態ＰＡ１において給紙カセット１０に収容された用紙Ｐが給紙される方向を給紙方向Ｄ３とする。
【００３５】
また、収容部２０に収容された用紙Ｐの端部のうち、給紙方向Ｄ３に対して後方側の端部を第１端部Ｅ１とし、引出方向Ｄ１に対して前方側の端部を第２端部Ｅ２とする。収容部２０に収容された用紙Ｐの端部のうち、給紙方向Ｄ３に対して前方側の端部を第３端部Ｅ３とする。なお、収容部２０には、用紙ガイドが設けられている（図示せず）。用紙ガイドは、収容部２０に各種サイズ（例えばＡ４、Ａ３、Ｂ５、Ｂ４など）の用紙Ｐを収容できるように位置を調整することができる。
【００３６】
可動載置板２１は、可動載置板２１に設けた可動支点２５を中心に可動し、収容部２０に収容された用紙Ｐの第３端部Ｅ３を上方に押し上げて、画像形成装置本体２０１に設けられたピックアップローラ２２１に用紙Ｐを接触させる部材である。
【００３７】
押動部３０は、収容された用紙Ｐを取り出しやすくするため、収容部２０に収容された用紙Ｐの第１端部Ｅ１の一部、あるいは第２端部Ｅ２の一部を収容部２０の底部２３に対して上昇させるように押動する。本実施形態では、押動部３０は、第１端部Ｅ１と第２端部Ｅ２が成す角部Ｃ１付近を押動するように構成されている。収容部２０の底部２３には、押動部３０が収容される開口部２７が形成されている。押動部３０の構成については後述する。
【００３８】
図４（Ａ）は図２のＢ―Ｂ線における断面図であり、図４（Ｂ）は図３のＤ―Ｄ線における断面図である。図５（Ａ）は図２のＣ―Ｃ線における断面図であり、図５（Ｂ）は図３のＥ―Ｅ線における断面図である。図４（Ａ）に示すように、押動部３０は、回動部３１および当接部３３を有している。回動部３１は、給紙カセット１０に対して回転可能に設けられている。当接部３３は、給紙カセット装着部２０６に設けられている。
【００３９】
回動部３１は、回動アーム３１０、作用部３１１、係合部３１３、回転支持部３１５、および付勢部３１７を有している。
【００４０】
回動アーム３１０は、引出方向Ｄ１および装着方向Ｄ２に対して平行に配置されている（図２参照）。
【００４１】
作用部３１１は、回動アーム３１０の端部のうち、引出方向Ｄ１に対して前方側の端部に形成されている。作用部３１１は、用紙Ｐに接触する部分である。
【００４２】
係合部３１３は、回動アーム３１０の端部のうち、引出方向Ｄ１に対して後方側の端部に形成されている。係合部３１３は、当接部３３に接触する部分である。
【００４３】
回転支持部３１５は、作用部３１１と係合部３１３との間に配置されている。回転支持部３１５は、回動アーム３１０を給紙カセット１０に対して回転可能に接続している。
【００４４】
付勢部３１７は、回転支持部３１５に取り付けられており、作用部３１１を用紙Ｐに接触させるように、回動アーム３１０を第２方向Ｒ２に向けて回転させるように付勢している。第２方向Ｒ２と反対の方向を第１方向Ｒ１とする。
【００４５】
次に、図４および図５を参照して押動部３０の動作について説明する。押動部３０は、給紙カセット１０が装着状態ＰＡ１にある場合と、引出状態ＰＡ２にある場合とで姿勢が切り換えられる。
【００４６】
図４（Ａ）および図５（Ａ）に示すように、給紙カセット１０が装着状態ＰＡ１にある場合、押動部３０は、退避状態ＰＢ２に切り替えられている。退避状態ＰＢ２では、係合部３１３が当接部３３に接触することにより上方に持ち上げられ、作用部３１１が下降して用紙Ｐから退避した状態となっている。言い換えると、退避状態ＰＢ２では、回動部３１の作用部３１１は、用紙Ｐの第１端部Ｅ１および第２端部Ｅ２を収容部２０の底部２３に対して上昇させないように、開口部２７に退避している。
【００４７】
図５（Ａ）は、給紙カセット装着部２０６に給紙カセット１０が装着された装着状態ＰＡ１であるが、装着されたときに、画像形成装置本体２０１に設けた図示しない駆動モータの駆動により、可動載置板２１の先端部が可動支点２５を中心に上昇することで、用紙Ｐをピックアップローラ２１１に押し当てる。そして用紙Ｐを給紙可能な状態にする。駆動モータは画像形成装置本体２０６側のカップリングに回転可能に接続され、一方、給紙装置１００側にもカップリングが設けられ、給紙カセット１０が装着されると、カップリング同士がかみ合い駆動モータの回転により可動載置板２１を回動させる。給紙装置１００側のカップリングは例えば可動載置板２１に設けた可動支点２５に設けた軸に取り付けられている。
【００４８】
図４（Ｂ）および図５（Ｂ）に示すように、給紙カセット１０が引出状態ＰＡ２にある場合、押動部３０は、押動状態ＰＢ１に切り替えられる。押動状態ＰＢ１では、係合部３１３が当接部３３から離隔することにより、付勢部３１７の付勢力によって回動部３１が第２方向Ｒ２に回転して係合部３１３が下降している。反対に作用部３１１は上昇して用紙Ｐに接触した状態となる。押動状態ＰＢ１では、押動部３０は、用紙Ｐの角部Ｃ１付近を収容部２０の底部２３に対して上昇させるように押動している。
【００４９】
なお、図５（Ｂ）に示すように、給紙カセット１０を引き出して引出状態ＰＡ２としたときに、画像形成装置本体２０６側のカップリングと給紙装置１００側のカップリングとのかみ合いが外れるため、可動載置板２１は自重で可動支点２５を中心に回動し、先端部が下がった状態となる。
【００５０】
給紙カセット１０が引出状態ＰＡ２（図４（Ｂ）および図５（Ｂ））から装着状態ＰＡ１（図４（Ａ）および図５（Ａ））に移行されることにより、係合部３１３が当接部３３に接触して持ち上げられ、回動部３１が第１方向Ｒ１に回転する。このため、作用部３１１が用紙Ｐから退避した状態となって、押動部３０は、押動状態ＰＢ１から退避状態ＰＢ２に切り替えられる。当接部３３は、接触した係合部３１３を円滑に案内するために、引出方向Ｄ１に対して前方側の上面に傾斜部３３１が形成されている。
【００５１】
給紙カセット１０が装着状態ＰＡ１（図４（Ａ）および図５（Ａ））から引出状態ＰＡ２（図４（Ｂ）および図５（Ｂ））に移行されることにより、係合部３１３は当接部３３から離隔する。回動部３１は、付勢部３１７の付勢力によって第２方向Ｒ２に回転する。回動部３１が第２方向Ｒ２に回転することにより、作用部３１１が用紙Ｐに接触した状態となり、押動部３０は、退避状態ＰＢ２から押動状態ＰＢ１に切り替えられる。なお、作用部３１１の上昇量は、収容部２０に用紙Ｐを満載させた状態で給紙カセット１０を引き出した際に、用紙Ｐが給紙カセット装着部２０６に干渉しないように設定されている。
【００５２】
以上説明した給紙装置１００によれば、給紙カセット１０が装着状態ＰＡ１から引出状態ＰＡ２に移行されることにより、押動部３０は、退避状態ＰＢ２から押動状態ＰＢ１に切り替えられ、用紙Ｐの角部Ｃ１を上昇させた状態とすることができるため、収容された用紙Ｐを取り出す際に用紙Ｐの下方に手指を容易に入れることができる。また、給紙カセット１０が引出状態ＰＡ２から装着状態ＰＡ１に移行されることにより、押動部３０は、押動状態ＰＢ１から退避状態ＰＢ２に切り替えられ、用紙Ｐの角部Ｃ１を上昇させない状態になるため、用紙Ｐの変形を抑制することができる。このため、収容された用紙Ｐが変形することによる給紙時の負荷を抑制するとともに、収容された用紙Ｐを容易に取り出すことができる。
【００５３】
〔実施形態２〕
次に本発明の実施形態２に係る給紙装置１００Ａについて説明する。図６は、実施形態２に係る給紙装置１００Ａの給紙カセット装着部２０６および給紙カセット１０Ａの平面断面図である。図６は、図２と同様の位置における給紙装置１００Ａの断面図であり、給紙装置１００Ａの給紙カセット１０Ａが給紙カセット装着部２０６から引き出された引出状態ＰＡ２を示している。以下の説明において、実施形態１と同様の構成には同一の符号を付して説明を省略し、実施形態１と異なる構成についてのみ説明する。
【００５４】
図６に示すように、給紙装置１００Ａでは、押動部３０Ａは、用紙Ｐの第１端部Ｅ１の中心付近を押動する位置に配置されている。このため、用紙Ｐを取り出す際には、手指を用紙Ｐの第１端部Ｅ１の下方に入れることができ、容易に用紙Ｐを取り出すことができる。
【００５５】
〔実施形態３〕
次に本発明の実施形態３に係る給紙装置１００Ｂについて説明する。図７は、実施形態３に係る給紙装置１００Ｂの給紙カセット装着部２０６および給紙カセット１０Ｂの平面断面図である。図７は、図２と同様の位置における給紙装置１００Ｂの断面図であり、給紙装置１００Ｂの給紙カセット１０Ｂが給紙カセット装着部２０６から引き出された引出状態ＰＡ２を示している。
【００５６】
図７に示すように、実施形態３に係る給紙装置１００Ｂでは、開口部２７Ｂは、用紙Ｐが収容される収容領域の外側まで形成されている。図７では、用紙Ｐの外側まで開口部２７Ｂが形成されている。このため、用紙Ｐを取り出す際に手指を用紙Ｐの下方に入れることができ、容易に用紙Ｐを取り出すことができる。
【００５７】
〔他の実施形態〕
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００５８】
例えば、押動部が配置される位置や、回動部および当接部の形状は、上記実施形態に限定されない。上記実施形態では、押動部は、第１端部Ｅ１と第２端部Ｅ２が成す角部Ｃ１付近（実施形態１）、および第１端部Ｅ１を押動するとしたが、これに限定されず、例えば、押動部は第１端部Ｅ１の両端部のように他の部分を押動してもよい。また、実施形態３では、開口部は用紙Ｐが収容される収容領域の外側まで形成されるとしたが、このような開口部の形状の変形と、押動部で用紙を押す位置の変形を組み合わせてもよい。
【産業上の利用可能性】
【００５９】
本発明は、給紙カセットを備えた給紙装置、および給紙装置を備えた画像形成装置に適用することが可能である。
【符号の説明】
【００６０】
１００  給紙装置
２００  画像形成装置
１０    給紙カセット
２０    収容部
３０    押動部
Ｄ１    引出方向
Ｄ３    給紙方向
ＰＡ１  装着状態
ＰＡ２  引出状態
ＰＢ１  押動状態
ＰＢ２  退避状態
【図１】
2020011844.tif 000003
【図２】
2020011844.tif 000004
【図３】
2020011844.tif 000005
【図４】
2020011844.tif 000006
【図５】
2020011844.tif 000007
【図６】
2020011844.tif 000008
【図７】
2020011844.tif 000009